(57)【要約】【課題】家庭の総電力消費量を効果的に制御可能な給電システムおよびその動作方法を提供する。【解決手段】電力供給システムは、家庭の総電流の第１電流を受ける配電分岐回路と、電動輸送機器を充電するための充電ユニットを備え、家庭の総電流の第２電流を受ける充電分岐回路と、充電ユニットに接続され、配電分岐回路が消費した第１電流の電流信号を受信する制御ユニットと、を含み、制御ユニットは、第１電流が変動した場合、第１電流に第２電流を加えた家庭の総電流が上限を超えないように、第１電流の変動値に基づいて第２電流の調整値を算出し、第２電流の調整値に基づいて充電指令を生成して、充電ユニットに充電指令を指令する。【選択図】図２Ａ
2018157740.tif 000002
【特許請求の範囲】
【請求項１】
第１電流を受ける配電分岐回路と、
電動輸送機器を充電するための充電ユニットを備え、第２電流を受ける充電分岐回路と、
前記充電ユニットに接続され、前記配電分岐回路が消費した前記第１電流の電流信号を受信する制御ユニットと、を含み、
前記制御ユニットは、
前記第１電流が変動した場合、前記第１電流に前記第２電流を加えた電流が家庭の総電流の上限を超えないように、前記第１電流の変動値に基づいて前記第２電流の調整値を算出し、
前記第２電流の調整値に基づいて充電指令を生成して、前記充電ユニットに前記充電指令を指令することを特徴とする電力供給システム。
【請求項２】
前記制御ユニットは、前記上限から前記第１電流を差し引いたものを前記第２電流の前記充電指令とし、前記充電ユニットに前記充電指令を指令することを特徴とする請求項１に記載の電力供給システム。
【請求項３】
前記制御ユニットは、前記配電分岐回路が消費した前記第１電流が変動したことが分かる場合、前記第１電流の変動値に基づいて前記第２電流を調整するように前記充電指令を直接指示することを特徴とする請求項１に記載の電力供給システム。
【請求項４】
前記充電指令は、前記充電ユニットを調整するための制御信号であり、前記充電ユニットは、制御信号に基づいて前記第２電流を調整することを特徴とする請求項３に記載の電力供給システム。
【請求項５】
前記制御ユニットは、前記第１電流が大きくなる場合、前記充電ユニットの制御信号に対応する前記充電指令を出力することにより、前記第２電流を小さく調整するように前記充電ユニットを制御する一方、前記第１電流が小さくなる場合、前記充電ユニットの制御信号に対応する前記充電指令を出力することにより、前記第２電流を大きく調整するように前記充電ユニットを制御することを特徴とする請求項４に記載の電力供給システム。
【請求項６】
前記第１電流の変動から前記充電ユニットにより前記第２電流に対する調整が完了する完了時間までの間に遅延時間を有し、前記充電ユニットは、前記第１電流が大きくまたは小さくなる場合、前記遅延時間内において前記第２電流を小さくまたは大きくするように調整することを特徴とする請求項４に記載の電力供給システム。
【請求項７】
前記配電分岐回路は、第１回路遮断ユニットと、当該第１回路遮断ユニットに対応して接続される複数の第３回路遮断ユニットとを含み、前記充電分岐回路は、第２回路遮断ユニットを含み、前記複数の第３回路遮断ユニットの少なくとも１つの第３回路遮断ユニットに流れる電流が過大となる場合、当該少なくとも１つの第３回路遮断ユニットが回路を遮断することを特徴とする請求項１に記載の電力供給システム。
【請求項８】
前記第１回路遮断ユニットと前記複数の第３回路遮断ユニットとを収容する第１分電盤と、前記第２回路遮断ユニットを収容する第２分電盤と、をさらに含むことを特徴とする請求項７に記載の電力供給システム。
【請求項９】
前記制御ユニットは、前記第２分電盤に収容され、または前記充電ユニット内に集積されることを特徴とする請求項８に記載の電力供給システム。
【請求項１０】
前記第１回路遮断ユニットと前記第２回路遮断ユニットとに接続され、前記家庭の総電流を受ける主回路遮断ユニットをさらに含み、
前記電力供給システムは、前記主回路遮断ユニットが回路を遮断しない場合に、前記家庭の総電流を前記配電分岐回路と前記充電分岐回路とに供給するように構成されることを特徴とする請求項７に記載の電力供給システム。
【請求項１１】
前記制御ユニットに接続される電流測定ユニットをさらに含み、前記制御ユニットは、前記電流測定ユニットにより測定した前記配電分岐回路における前記第１電流の電流信号を受信することを特徴とする請求項１に記載の電力供給システム。
【請求項１２】
前記制御ユニットは、伝送ユニットを介して前記制御ユニット内の情報を外部に伝送するか、または前記伝送ユニットを介して外部から監視制御されることを特徴とする請求項１に記載の電力供給システム。
【請求項１３】
前記配電分岐回路に接続される再生可能エネルギーユニットをさらに含むことを特徴とする請求項１に記載の電力供給システム。
【請求項１４】
第１電流を配電分岐回路に割り当てるとともに、第２電流を充電分岐回路に割り当て、前記第１電流に前記第２電流を加えたものが家庭の総電流の上限を超えない電力供給システムの動作方法であって、
制御ユニットにより前記第１電流の電流信号を受信するステップａと、
前記制御ユニットは、前記上限から前記第１電流を差し引いて前記第２電流に対応する充電指令を生成するステップｂと、
前記第１電流が変動した場合、前記制御ユニットは、前記第１電流の変動値に基づいて前記第２電流の調整値を算出し、前記第２電流の調整値に基づいて対応する充電指令を生成して、前記第２電流を調整するように前記充電指令を指令するステップｃと、を含むことを特徴とする電力供給システムの動作方法。
【請求項１５】
前記ステップｃにおいて、前記制御ユニットは、前記第１電流の変動値に基づいて前記第２電流を調整するように前記充電指令を直接指示し、前記充電指令は前記充電分岐回路における充電ユニットを調整するための制御信号であるステップｃ１をさらに含むことを特徴とする請求項１４に記載の電力供給システムの動作方法。
【請求項１６】
前記ステップｃ１において、前記制御ユニットは、前記第１電流が大きくなる場合、前記充電ユニットの制御信号に対応する前記充電指令を出力することにより、前記第２電流を小さく調整する一方、前記第１電流が小さくなる場合、前記充電ユニットの制御信号に対応する前記充電指令を出力することにより、前記第２電流を大きく調整するステップｃ２をさらに含むことを特徴とする請求項１５に記載の電力供給システムの動作方法。
【請求項１７】
前記ステップｃ２において、前記第１電流の変動から前記充電ユニットにより前記第２電流に対する調整が完了する完了時間までの間に遅延時間を有するステップｃ３をさらに含むことを特徴とする請求項１６に記載の電力供給システムの動作方法。
【発明の詳細な説明】
【技術分野】
【０００１】
本発明は、給電システムおよびその動作方法に関し、特に家庭用分岐回路および電動輸送機器の充電分岐回路を有する給電システムおよびその動作方法に関する。
【背景技術】
【０００２】
近年、例えば化石燃料や電気料金の値上げなどのエネルギー需要に関連する課題への関心が高まり、環境保護とエネルギー需要のバランスが重要視される。輸送において、従来の車両が化石燃料を動力源とすることは、環境に著しい衝撃を与える。そのため、電動輸送機器の発展は、環境保護とエネルギー需要の問題を同時に解決することができ、持続可能な発展の要因の一つとみなされている。
【０００３】
現在、電動輸送機器のための家庭用充電ユニットには、家庭の電力消費量の監視および充電電流の制御システムが含まれていないため、家庭の電力消費量が大きすぎると、過電流により回路遮断ユニットが回路を保護するために遮断するか、または、電力会社と結んでいる契約電力を越えて高額な電気料金が発生してしまう。そこで、電動輸送機器を充電することができる家庭用の電力供給システムにおいては家庭の電力消費量の監視および充電電流の制御システムを配置する傾向となっている。
【０００４】
図１は、従来の電力供給システムを示す概略ブロック図である。電力供給システム１００Ａは、家庭の電力消費量の監視および充電電流の制御システムを含むシステムである。電力供給システム１００Ａは、家庭の負荷の電力消費量と電動輸送機器４００Ａに充電する充電ユニット６４Ａへの充電電気量を監視する。
【発明の概要】
【発明が解決しようとする課題】
【０００５】
しかしながら、監視する電力消費量には電動輸送機器４００Ａへの電力消費量も含まれるので、制御ユニット８０Ａとしては電動輸送機器４００Ａへの電力消費量を測定するためのもう一つの電流測定ユニット（８２Ｂ）が必要であり、不要なコストの増加につながる。また、従来の電力供給システム１００Ａでは、その充電ユニット６４Ａが回路遮断ユニット４２Ａに接続されると、家庭の電力消費量に充電量を加えた総電力消費量が必ず規定値を超えてからその超えた分だけ充電量を減少させる制御を行うことになるので、回路遮断ユニット４２Ａが頻繁に回路を遮断するという危険があった。
【０００６】
そこで、上記の問題を解決するための給電システムおよびその動作方法を如何にして設計するかということは、本発明者が克服して解決を求める重要な課題となっている。
【課題を解決するための手段】
【０００７】
本発明は、従来技術の問題を克服するための電力供給システムを提供する。従って、本発明の電力供給システムは、第１電流を受ける配電分岐回路と、電動輸送機器を充電するための充電ユニットを備え、第２電流を受ける充電分岐回路と、充電ユニットに接続され、配電分岐回路が消費した第１電流の電流信号を受信する制御ユニットとを含む。制御ユニットは、第１電流が変動した場合、第１電流に第２電流を加えた電流が家庭の総電流の上限を超えないように、第１電流の変動値に基づいて第２電流の調整値を算出し、第２電流の調整値に基づいて充電指令を生成して、充電ユニットに充電指令を指令する。
【０００８】
一実施形態において、制御ユニットは、上限から第１電流を差し引いたものを第２電流の充電指令とし、充電ユニットに充電指令を指令する。
【０００９】
一実施形態において、制御ユニットは、配電分岐回路が消費した第１電流が変動したことが分かる場合、第１電流の変動値に基づいて第２電流を調整するように充電指令を直接指示する。
【００１０】
一実施形態において、充電指令は、充電ユニットを調整するための制御信号であり、充電ユニットは、制御信号に基づいて第２電流を調整する。
【００１１】
一実施形態において、制御ユニットは、第１電流が大きくなる場合、充電ユニットの制御信号に対応する充電指令を出力することにより、第２電流を小さく調整するように充電ユニットを制御する一方、第１電流が小さくなる場合、充電ユニットの制御信号に対応する充電指令を出力することにより、第２電流を大きく調整するように充電ユニットを制御する。
【００１２】
一実施形態において、第１電流の変動から充電ユニットにより第２電流に対する調整が完了する完了時間までの間に遅延時間を有し、充電ユニットは、第１電流が大きくまたは小さくなる場合、遅延時間内において第２電流を小さくまたは大きくするように調整する。
【００１３】
一実施形態において、配電分岐回路は、第１回路遮断ユニットと、当該第１回路遮断ユニットに対応して接続される複数の第３回路遮断ユニットとを含み、充電分岐回路は、第２回路遮断ユニットを含み、複数の第３回路遮断ユニットの少なくとも１つの第３回路遮断ユニットに流れる電流が過大となる場合、当該少なくとも１つの第３回路遮断ユニットが回路を遮断する。
【００１４】
一実施形態において、電力供給システムは、第１回路遮断ユニットと複数の第３回路遮断ユニットとを収容する第１分電盤と、第２回路遮断ユニットを収容する第２分電盤と、をさらに含む。
【００１５】
一実施形態において、制御ユニットは、第２分電盤に収容され、または充電ユニット内に集積される。
【００１６】
一実施形態において、制御ユニットは、第１回路遮断ユニットと第２回路遮断ユニットとに接続され、家庭の総電流を受ける主回路遮断ユニットをさらに含む。電力供給システムは、主回路遮断ユニットが回路を遮断しない場合に、家庭の総電流を配電分岐回路と充電分岐回路とに供給するように構成される。
【００１７】
一実施形態において、制御ユニットに接続される電流測定ユニットをさらに含み、制御ユニットは、電流測定ユニットにより測定した配電分岐回路における第１電流の電流信号を受信する。
【００１８】
一実施形態において、制御ユニットは、伝送ユニットを介して制御ユニット内の情報を外部に伝送し、または伝送ユニットを介して外部から監視制御される。
【００１９】
一実施例において、配電分岐回路に接続される再生可能エネルギーユニットをさらに含む。
【００２０】
本発明は、従来技術の問題を克服するための電力供給システムの動作方法を提供する。従って、本発明の電力供給システムの動作方法は、第１電流を配電分岐回路に割り当てるとともに、第２電流を充電分岐回路に割り当て、第１電流に第２電流を加えた電流が家庭の総電流の上限を超えない電力供給システムの動作方法であって、制御ユニットにより第１電流の電流信号を受信するステップａと、制御ユニットは、上限から第１電流を差し引いて第２電流に対応する充電指令を生成するステップｂと、第１電流が変動した場合、制御ユニットは、第１電流の変動値に基づいて第２電流の調整値を算出し、第２電流の調整値に基づいて対応する充電指令を生成して、第２電流を調整するように充電指令を指令するステップｃと、を含む。
【００２１】
一実施形態において、ステップｃにおいて、制御ユニットは、第１電流の変動値に基づいて第２電流を調整するように充電指令を直接指示し、充電指令は充電分岐回路における充電ユニットを調整するための制御信号であるステップｃ１をさらに含む。
【００２２】
一実施形態において、ステップｃ１において、制御ユニットは、第１電流が大きくなる場合、充電ユニットの制御信号に対応する充電指令を出力することにより、第２電流を小さく調整する一方、第１電流が小さくなる場合、充電ユニットの制御信号に対応する充電指令を出力することにより、第２電流を大きく調整するステップｃ２をさらに含む。
【００２３】
一実施形態において、ステップｃ２において、第１電流の変動から充電ユニットにより第２電流に対する調整が完了する完了時間までの間に遅延時間を有するステップｃ３をさらに含む。
【００２４】
本発明が上記の目的を達成するために採用する技術、手段および効果がより詳細に理解されるように、以下で本発明に関する詳細な説明および図面を参照されたい。本発明の目的、特徴および特長は、これにより深くかつ具体的に理解できると確信するが、添付の図面は単に参考および説明用として提供するものであって、本発明を制限するためのものではない。
【発明の効果】
【００２５】
本発明の利点は次の通りである。
（１）本発明の電力供給システムは、電動輸送機器の充電用分岐回路と家電製品に電力を供給するための分岐回路とを分けるため、家庭用電力が充電分岐回路の影響を受けて第１回路遮断ユニットが回路を遮断することはなく、家庭の総電力消費量を制御することができる。
（２）本発明の電力供給システムは、家電製品に電力を供給するための分岐回路において電動輸送機器の充電の電流が含まれていないため、家庭の総電力消費量を効果的に制御することができる。
（３）本発明の電力供給システムは、単一の電流測定ユニットのみで配電分岐回路の第１電流の電流信号を測定することにより、電力供給システムの充電分岐回路および配電分岐回路を効果的に制御することができる。その結果、電力供給システムのコストを節約することができる。
【図面の簡単な説明】
【００２６】
【図１】従来の電力供給システムを示す概略ブロック図である。
【図２Ａ】本発明の電力供給システムの第１実施形態による概略ブロック図である。
【図２Ｂ】本発明の電力供給システムの第１実施形態による概略回路図である。
【図３】本発明の電力供給システムの第２実施形態による概略ブロック図である。
【図４】本発明の電力供給システムの第３実施形態による概略ブロック図である。
【図５Ａ】本発明の電力供給システムの構成のブロックの第１実施例による概略図である。
【図５Ｂ】本発明の電力供給システムの構成のブロックの第２実施例による概略図である。
【図５Ｃ】本発明の電力供給システムの構成のブロックの第３実施例による概略図である。
【図５Ｄ】本発明の電力供給システムの構成のブロックの第４実施例による概略図である。
【図６】本発明の配電分岐回路および充電分岐回路の制御時間を示す概略図である。
【図７】本発明の電力供給システムの制御時間を示す概略図である。
【図８】本発明の電力供給システムの動作方法を示すフローチャートである。
【発明を実施するための形態】
【００２７】
以下、本発明の技術内容および詳細な説明について、図面を参照しつつ説明する。
図２Ａは、本発明の電力供給システムの第１実施形態による概略ブロック図である。電力供給システム１００は、外部配線２００が供給された家庭の総電流Ｉｔを受け、家庭の総電流Ｉｔを複数の家電製品３００および電動輸送機器４００に供給する。家庭とは、一世帯の居住単位または人々の住生活空間であり、区画や電力システムまたはその他の類似した空間配置を有するが、これらに限定されない。具体的に、電力会社は、電力の過負荷を避けるために、一世帯あたりの電力消費量である家庭の総電流Ｉｔが家庭と結ぶ契約電力の上限（例えば、電力会社により制限される契約電力の電流上限Ｉｕが６０Ａまたは７０Ａであってもよいが、これに限定されない）を超えないように制限することにより、電気のオーバーロードを回避することができる。電力供給システム１００は、主回路遮断ユニット２０と、配電分岐回路４０と、充電分岐回路６０と、制御ユニット８０とを含む。主回路遮断ユニット２０は、外部配線２００と、配電分岐回路４０および充電分岐回路６０との間に介在して接続され、家庭の総電流Ｉｔを受ける。家庭の総電流Ｉｔが契約電力の電流上限Ｉｕを超えるとともに所定時間が経過すると、主回路遮断ユニット２０は、バックエンド回路である配電分岐回路４０および充電分岐回路６０を保護するために回路を遮断する。配電分岐回路４０は、家庭用電力を供給するための分岐回路であり、家庭の総電流Ｉｔにおける第１電流Ｉ１を受けて、第１電流Ｉ１を家電製品３００に供給する。配電分岐回路４０は、第１回路遮断ユニット４２と、複数の第３回路遮断ユニット４４とを含む。第１回路遮断ユニット４２は、主回路遮断ユニット２０と第３回路遮断ユニット４４との間に介在して接続される。また、第３回路遮断ユニット４４は、複数の家電製品３００（例えば、家電製品、電気製品等）に接続される。配電分岐回路４０に漏れ電流が検出された場合、第１回路遮断ユニット４２は、バックエンド回路である家電製品３００及びそれを使用する人体を保護するために、回路を遮断する。家電製品３００は、配電分岐回路４０を介して家庭の総電流Ｉｔにおける第１電流Ｉ１を動作に必要な電力として引抜く。家電製品３００のうち少なくとも１つの家電製品３００が引き抜いた電流が過大となる場合、対応して接続される第３回路遮断ユニット４４は、バックエンド回路である少なくとも１つの家電製品３００を保護するために、回路を遮断する。なお、本実施形態において、家庭の総電流Ｉｔは、三相電流または単相電流であってもよい。
【００２８】
図２Ａを再び参照すると、充電分岐回路６０は、電動輸送機器４００（例えば、電気自動車、電気バイク）を充電するための分岐回路であり、家庭の総電流Ｉｔにおける第２電流Ｉ２を受けて電動輸送機器４００に供給する。充電分岐回路６０は、第２回路遮断ユニット６２と、充電ユニット６４とを含む。第２回路遮断ユニット６２は、主回路遮断ユニット２０と充電ユニット６４との間に介在して接続される。また、充電ユニット６４は、電動輸送機器４００に接続される。第２電流Ｉ２は、充電ユニット６４によって電動輸送機器４００に伝送されて電動輸送機器４００を充電するために用いられる。充電分岐回路６０に漏れ電流が検出された場合、第２回路遮断ユニット６２は、バックエンド回路である電動輸送機器４００及びそれを使用する人体を保護するために、回路を遮断する。
【００２９】
さらに、電力会社は、供給電力が契約電力を超えないように、家庭用電力が消費した家庭の総電流Ｉｔが電力会社により設定された契約電力の電流上限Ｉｕを制限するようにしている。そのため、第１電流Ｉ１に第２電流Ｉ２を加えた家庭の総電流Ｉｔが契約電流の電流上限を超えないようにしている。本発明は、契約電力の電流上限Ｉｕを超えないように、家庭が消費した第１電流Ｉ１に応じて第２電流Ｉ２を調整することにより、電気のオーバーロードを回避することができる。
【００３０】
図２Ａに示すように、電力供給システム１００は、電流測定ユニット８２をさらに含む。電流測定ユニット８２は、制御ユニット８０に接続され、配電分岐回路４０の経路上に接続される。制御ユニット８０は、充電ユニット６４に接続され、電流測定ユニット８２によって配電分岐回路４０上の第１電流Ｉ１の電流信号Ｓｉを受信することにより、第１電流Ｉ１の電流値を知得し、充電指令Ｃｉを充電ユニット６４に出力する。具体的に、制御ユニット８０は、第２回路遮断ユニット６２の出力経路上に接続され、充電・データ通信用ケーブルによって充電ユニット６４に接続され、充電・データ通信用ケーブルによって充電指令Ｃｉを充電ユニット６４に出力する。ここで、充電指令Ｃｉは、制御ユニット８０から充電ユニット６４に出力される制御信号であり、充電ユニット６４は、制御ユニット８０から充電ユニット６４に出力される制御信号に基づいて第２電流Ｉ２を調整する。制御ユニット８０は、契約電力の電流上限Ｉｕから第１電流Ｉ１を差し引いて第２電流Ｉ２に対応する充電指令Ｃｉを生成して、充電ユニット６４に充電指令Ｃｉを指令する。制御ユニット８０は、電流信号Ｓｉにより第１電流Ｉ１が変動したことを知得する場合、第１電流Ｉ１の変動値に基づいて第２電流Ｉ２の調整値を算出する。制御ユニット８０は、第２電流Ｉ２の調整値に基づいて充電指令Ｃｉを生成して、充電ユニット６４に充電指令Ｃｉを直接伝送する。制御ユニット８０は、充電指令Ｃｉを出力して第２電流Ｉ２を調整する際、第２電流Ｉ２は、第１電流Ｉ１の変動に対応して小さくまたは大きくなる。なお、図２Ａに示すように、制御ユニット８０は、動作に必要な電源を受けるために第２回路遮断ユニット６２の出力経路上に接続されるが、これに限定されない。言い換えれば、例えば、制御ユニット８０の動作に必要な電源を供給するために、制御ユニット８０が第２回路遮断ユニット６２の入力経路上に接続されてもよく、またはその他のユニットによって制御ユニット８０に電源が供給されてもよいが、これらに限定されない。また、充電ユニット６４は、電動輸送機器４００の経路中に接続され、電動輸送機器４００を充電するために第２電流Ｉ２を供給するほか、電動輸送機器４００を制御する制御信号（例えば、ＣＰＬＴ制御信号であってもよいが、これに限定されない）を含んでもよい。電動輸送機器４００は、充電ユニット６４から出力された制御信号を受信した後、制御信号のデューティ比に基づいて充電の電流を制御する。
【００３１】
図２Ａを再び参照すると、制御ユニット８０は、伝送ユニット８４をさらに含み、伝送ユニット８４によって制御ユニット８０内の情報を外部に伝送するか、または外部装置が伝送ユニット８４を介して外部から制御ユニット８０を監視制御してもよい。伝送ユニット８４は、有線通信（例えば、ＬＡＮケーブルやデータ通信用ケーブル等）または無線通信（例えば、ＷｉＦｉ（登録商標）、ＲＦ（登録商標）、Ｂｌｕｅｔｏｏｔｈ（登録商標）等）を介して外部インターフェイスまたは外部装置（例えば、携帯、パソコン等）と互いにデータを伝送してもよい。ユーザーは、外部インターフェイスまたは外部装置（図示せず）により電力供給システム１００の使用状況、例えば各分岐回路の電流値、各回路遮断ユニットの状況や電動輸送機器４００の充電状況を確認し監視制御することができるが、これらに限定されない。なお、本実施形態において、伝送ユニット８４は、制御ユニット８０内に配置されなくてもよい。例えば、伝送ユニット８４は、制御ユニット８０外に配置され制御ユニット８０に接続されてもよいが、これに限定されない。
【００３２】
図２Ａ示すように、電力供給システム１００は、配電分岐回路４０と充電分岐回路６０とが離れて配置されることにより、配電分岐回路４０の総電力消費量を効果的に制御することができるとともに、配電分岐回路４０の総電力消費量に基づいて充電分岐回路６０の電力消費量を調整する。電力供給システム１００は、主回路遮断ユニット２０が回路を遮断しない場合に、家庭の総電流Ｉｔを配電分岐回路４０および充電分岐回路６０に供給するように配置される。そのため、家庭の総電流Ｉｔの第１電流Ｉ１、第２電流Ｉ２および契約電力の電流上限Ｉｕの関係については、以下の式１で表される。
【００３３】
（式１）Ｉ２≦Ｉｕ−Ｉ１
【００３４】
家庭の総電流Ｉｔが電力供給システム１００に入力されたとき、家電製品３００は、配電分岐回路４０を介して第１電流Ｉ１を引抜く一方、電動輸送機器４００は、充電分岐回路６０により第２電流Ｉ２を引抜く。制御ユニット８０は、電流測定ユニット８２によって測定された第１電流Ｉ１の電流信号Ｓｉを受信することにより、第１電流Ｉ１の電流値を知得することができる。制御ユニット８０は、第１電流Ｉ１の変動値に基づいて第２電流Ｉ２の調整値を算出する。制御ユニット８０は、第２電流Ｉ２の調整値に基づいて充電指令Ｃｉを生成して、充電ユニット６４に充電指令Ｃｉを伝送することにより、第２電流Ｉ２を調整する。制御ユニット８０は、第１電流Ｉ１が大きくなる場合、充電ユニット６４の制御信号に対応する充電指令Ｃｉを出力することにより、第２電流Ｉ２を小さく調整するように充電ユニット６４を制御する一方、第１電流Ｉ１が小さくなる場合、充電ユニット６４の制御信号に対応する充電指令Ｃｉを出力することにより、第２電流Ｉ２を大きく調整するように充電ユニット６４を制御する。
【００３５】
制御ユニット８０は、第１電流Ｉ１の電流信号Ｓｉを受信した後、第１電流Ｉ１が変動することを知得した場合、上記式１に基づいて第２電流Ｉ２に対応する調整値を算出し、第２電流Ｉ２の調整値に基づいて対応する充電指令Ｃｉを生成して充電ユニット６４に直接伝送する。そのため、制御ユニット８０は、充電ユニット６４と前回の充電指令を再度確認する必要はなく、第２電流Ｉ２に対応する調整値の充電指令Ｃｉを充電電流として電動輸送機器４００を直接に充電する。故に、本発明の電力供給システム１００は、上述したように、制御ユニット８０および充電ユニット６４と通信する時間を短縮することができる。その結果、充電効率を向上させることができる。
【００３６】
図２Ａを再び参照すると、電力供給システム１００は、配電分岐回路４０と充電分岐回路６０とが離れて配置されることにより、その一方の分岐回路が回路を遮断する場合、他方の分岐回路が影響を受けずにバックエンド電力を引き続き供給することができる。配電分岐回路４０に漏れ電流が検出されて第１回路遮断ユニット４２によって回路を遮断する場合、第２回路遮断ユニット６２は、第１回路遮断ユニット４２による回路遮断の影響を受けずに、回路を遮断することなく、電動輸送機器４００に第２電流Ｉ２を引き続き供給する。充電分岐回路６０に漏れ電流が検出されて第２回路遮断ユニット６２によって回路を遮断する場合、第１回路遮断ユニット４２は、第２回路遮断ユニット６２による回路遮断の影響を受けずに、回路を遮断することなく、家電製品３００に第１電流Ｉ１を引き続き供給する。なお、本発明において、第１回路遮断ユニット４２および第２回路遮断ユニット６２は、漏電検出機能付きサーキットブレーカーであってもよいが、これに限定されない。
【００３７】
図２Ｂは、本発明の電力供給システムの第１実施形態による概略回路図である。図２Ａと併せて参照する。図２Ｂに示すように、配電分岐回路４０は、３つの家電製品３００に第１電流Ｉ１を供給するとともに、電動輸送機器４００に第２電流Ｉ２を供給する。３つの家電製品３００が受ける電流をＩａ、Ｉｂ、Ｉｃとし、制御ユニット８０は電流測定ユニット（８２Ａ、８２Ｂ）によって第１電流Ｉ１の電流信号Ｓｉを測定することにより、第１電流Ｉ１の電流値を知得する。具体的に、日本の電力会社は、家庭用契約電力を主として契約電力の電流上限Ｉｕを、電力消費量が６０Ａより小さい場所に適用するか、電力消費量が７０Ａより大きい場所に適用するか、という２つのタイプに大きく分けている。そのため、上述したように、２つのタイプに対応する２つの算出式が以下の式で表される。
【００３８】
（１）電力消費量が６０Ａより小さい場所に適用する算出式は以下の式２で表される。
【００３９】
（式２）Ｖｔ・Ｉｃｏｎｔｒａｃｔ≧ｘＶｔ・Ｉａ＋ｘＶｔ・Ｉｂ＋ｘ（２Ｖｔ）・Ｉｃ＋ｘ（２Ｖｔ）・Ｉ２
【００４０】
式２において、Ｖｔは単相交流入力電圧であり、Ｉｃｏｎｔｒａｃｔは契約電流であり、ｘは誤差範囲（通常、０．９〜１．１の範囲にある）である。式２を整理すると、以下の式３となる。
【００４１】
【数１】
2018157740.tif 000003
【００４２】
式３において、Ｉｃｏｎｔｒａｃｔ／ｘは契約電力の電流上限Ｉｕであり、（Ｉａ＋Ｉｃ）は電流測定ユニット８２Ａが測定した電流であり、（Ｉｂ＋Ｉｃ）は電流測定ユニット８２Ｂが測定した電流である。制御ユニット８０は、電流測定ユニット８２Ａおよび電流測定ユニット８２Ｂが測定した電流信号（Ｓｉ１、Ｓｉ２）を受信して対応する充電指令Ｃｉを充電ユニット６４に伝送することにより、第２電流Ｉ２を調整する。そのため、上記式３に基づいて、電力消費量が６０Ａより小さい場所に適用する場合、電動輸送機器４００を充電可能な実際の第２電流Ｉ２の大きさを算出し、算出された第２電流Ｉ２の大きさに基づいて電動輸送機器４００を充電することができる。
【００４３】
電力消費量が７０Ａより大きい場所に適用する算出式は以下の式４で表される。
【００４４】
（式４）Ｉ２≦Ｉｓｈｕｔｄｏｗｎ-ｍａｘ ［(Ｉａ＋Ｉｃ)，（Ｉｂ＋Ｉｃ）］
【００４５】
式４において、Ｉｓｈｏｕｔｄｏｗｎは回路遮断電流であり、（Ｉａ＋Ｉｃ）は電流測定ユニット８２Ａが測定した電流であり、（Ｉｂ＋Ｉｃ）は電流測定ユニット８２Ｂが測定した電流である。上記式４から分かるように、電動輸送機器４００に対して充電可能な第２電流Ｉ２は、回路遮断電流からいずれかの経路の最大電流（電流測定ユニット８２Ａまたは電流測定ユニット８２Ｂによって測定する）を引いた電流より小さければよい。制御ユニット８０は電流測定ユニット８２Ａおよび電流測定ユニット８２Ｂが測定した電流信号（Ｓｉ１、Ｓｉ２）を受信して対応する充電指令Ｃｉを充電ユニット６４に伝送することにより、第２電流Ｉ２を調整する。そのため、上記式４に基づいて、電力消費量が７０Ａより大きい場所に適用する場合、電動輸送機器４００を充電可能な実際の第２電流Ｉ２の大きさを算出し、算出された第２電流Ｉ２の大きさに基づいて電動輸送機器４００を充電することができる。電流測定ユニット８２Ａが測定した電流（Ｉａ＋Ｉｃ）または電流測定ユニット８２Ｂが測定した電流（Ｉｂ＋Ｉｃ）が回路遮断電流より大きい場合、第２電流Ｉ２を０にする。なお、本実施形態において、契約電力の電流上限Ｉｕは電力消費量が６０Ａより小さいまたは７０Ａより大きい場所に適用されることが例示されるが、これに限定されない。言い換えれば、契約電力の電流上限Ｉｕは、配線方式や電気の契約によって異なるため、電動輸送機器４００を充電可能な実際の第２電流Ｉ２の大きさも、契約電力の電流上限Ｉｕに応じて変動するものである。
【００４６】
図３は、本発明の電力供給システムの第２実施形態による概略ブロック図である。図２Ａを再び参照すると、本実施形態と図２Ａに示す第１実施形態との相違点は、電力供給システム１００が再生可能エネルギーユニット５０を含むことである。再生可能エネルギーユニット５０は、配電分岐回路４０に接続され、配電分岐回路４０に電流を供給するか、配電分岐回路４０を経由して電流を電力網に戻すために用いられる。具体的に、再生可能エネルギーユニット５０は、第１回路遮断ユニット４２の前または後に接続されてもよく、第１電流Ｉ１と併せて家電製品３００に必要な電力を供給するか、家電製品３００に必要な電力を独自に供給するか、電力供給システム１００によって電流を電力網に戻してもよい。逆潮流が検出された場合は、（式３）及び（式４）において、Ｉａ＋Ｉｃ＝０，  Ｉｂ＋Ｉｃ＝０とする。
【００４７】
図４は、本発明の電力供給システムの第３実施形態による概略ブロック図である。図２Ａを再び参照すると、本実施形態と図２Ａおよび図３に示す第１実施形態および第２実施形態との相違点は、電力供給システム１００は主回路遮断ユニット２０（点線で表される）を含む必要はなく、且つ制御ユニット８０は充電ユニット６４内に集積されることである。具体的に、現在の電力市場の電力網は、従来の電力網とスマートグリッド（ｓｍａｒｔ  ｅｌｅｃｔｒｉｃ  ｇｒｉｄ）とに分けられる。外部配線２００は、スマートグリッドである場合、通常、主回路遮断ユニット２０が内蔵されたスマートメーター（ｓｍａｒｔ  ｍｅｔｅｒ）を含む。そのため、外部配線２００がスマートグリッドである場合、電力供給システム１００は主回路遮断ユニット２０を含む必要はない。図４を再び参照すると、充電ユニット６４内における制御ユニット８０は、電流測定ユニット８２によって測定された配電分岐回路４０上における第１電流Ｉ１の電流信号Ｓｉを受信することにより、第１電流Ｉ１の電流値を知得することができるとともに、充電ユニット６４が制御信号のデューティ比Ｄを調整するように制御する。充電ユニット６４は、伝送ユニット８４によって制御ユニット８０内の情報を外部に伝送するか、または外部装置が伝送ユニット８４を介して外部から制御ユニット８０を監視制御してもよい。なお、本実施形態と、図２Ａおよび図３に示す第１実施形態および第２実施形態に係る電力供給システム１００における主回路遮断ユニット２０、再生可能エネルギーユニット５０、または制御ユニット８０の実施形態は、需要に応じて交換して配置されてもよい。説明したものについては、重複を避けるために説明を省略する。
【００４８】
図５Ａは、本発明の電力供給システムの構成のブロックの第１実施例による概略図である。図２Ａ〜図４を併せて参照すると、電力供給システム１００は、第１分電盤ＤＢ１と、第２分電盤ＤＢ２とを含む。第１分電盤ＤＢ１は、第１回路遮断ユニット４２と第３回路遮断ユニット４４とを収容し、第２分電盤ＤＢ２は、第２回路遮断ユニット６２を収容し、制御ユニット８０は、充電ユニット６４内に集積される。第１分電盤ＤＢ１および第２分電盤ＤＢ２によって配電分岐回路４０の第１回路遮断ユニット４２と第２回路遮断ユニット６２とが離れて配置される。これにより、ユーザーは、電力供給システム１００に異常があった場合、配電分岐回路４０または充電分岐回路６０に異常が発生することを容易に判断することができる。図５Ｂは、本発明の電力供給システムの構成のブロックの第２実施例による概略図である。図２Ａ〜図５Ａを併せて参照すると、本実施例と図５Ａに示す第１実施例との相違点は、第２分電盤ＤＢ２が制御ユニット８０をさらに含むことである。ユーザーは、第２分電盤ＤＢ２が第２回路遮断ユニット６２と制御ユニット８０とを含むことにより、第２回路遮断ユニット６２および制御ユニット８０を同時に監視制御することが可能である。なお、図５Ａ〜５Ｂに示す実施例は、図２Ａにおける外部配線２００がスマートメーターを含まない場合に適用するため、電力供給システム１００は、主回路遮断ユニット２０を含む。
【００４９】
図５Ｃおよび図５Ｄは、本発明の電力供給システムの構成のブロックの第３実施例および第４実施例による概略図である。図２Ａ〜図５Ｂを併せて参照すると、図５Ｃ〜図５Ｄに示す第３実施例および第４実施例は、電力供給システム１００が従来の電力網に適用する実施例である。そのため、電力供給システム１００は、主回路遮断ユニット２０を含む。図５Ｃに示す第３実施例において、第１分電盤ＤＢ１は、主回路遮断ユニット２０を含む。一方、図５Ｄに示す第４実施例において、第２分電盤ＤＢ２は、主回路遮断ユニット２０を含む。なお、図５Ａ〜図５Ｄに示す回路構成は、需要に応じて交換して配置されてもよい。説明したものについては、重複を避けるために説明を省略する。また、図３に示す再生可能エネルギーユニット５０は、第１分電盤ＤＢ１に配置されてもよく、第１分電盤ＤＢ１外に配置され配電分岐回路４０に接続されてもよいが、これに限定されない。
【００５０】
図６は、本発明の配電分岐回路および充電分岐回路の制御時間を示す概略図である。図１〜図５Ｄを併せて参照すると、制御時間を示す概略図は、制御ユニット８０によって配電分岐回路４０の第１電流Ｉ１に基づいて充電分岐回路６０の第２電流Ｉ２を調整する制御時間の概略図である。時間ｔ０において、配電分岐回路４０によって消費した第１電流Ｉ１が大きくなるのに伴って家庭の総電流Ｉｔも大きくなる。このとき、制御ユニット８０は、電流測定ユニット８２の電流信号Ｓｉを受信することにより、第１電流Ｉ１が大きくなることを知得する。時間ｔ０〜ｔ１において、制御ユニット８０は、電流信号Ｓｉに基づいて第１電流Ｉ１の大きさを知得し、契約電力の電流上限Ｉｕから第１電流Ｉ１を差し引いて第２電流Ｉ２に対応する充電指令Ｃｉを生成して、充電ユニット６４に充電指令Ｃｉを指令する。充電ユニット６４は、充電指令Ｃｉを受信した後、家庭の総電流Ｉｔを契約電力の電流上限Ｉｕ以下にするように、時間ｔ１の前に第２電流Ｉ２を調整する。これにより、電力供給システム１００は、契約電力の電流上限Ｉｕを超えるとともに所定時間が経過することに起因する電気のオーバーロードを回避することができる。なお、本発明の電力供給システム１００は、契約電力の電流上限Ｉｕから第１電流Ｉ１を引いたものを第２電流Ｉ２に対応する充電指令Ｃｉとし、充電ユニット６４に充電指令Ｃｉを直接指令する。従来の電力供給システムは、２つの電流測定ユニットの電流サンプリングを取得して計算を行い、充電ユニットおよび制御ユニットが互いに通信して次回の充電指令を確認した上で、図６に示す時間ｔ２において第２電流Ｉ２を下げることが可能である。そのため、本発明の電力供給システム１００は、従来の電力供給システムに比較して、契約電力の電流上限Ｉｕから第１電流Ｉ１を引いたものを第２電流Ｉ２に対応する充電指令Ｃｉとし、充電ユニット６４に充電指令Ｃｉを直接指令するにより、電流のサンプリングする時間および計算の時間のほか、充電ユニット６４および制御ユニット８０の互いに通信する時間（ｔ１〜ｔ２）も節約することができる。また、本実施例において、主として第１電流Ｉ１が大きくなる場合の時間が例示される。一方、第１電流Ｉ１が小さくなる場合、第２電流Ｉ２の各時間における変化が図６に例示されたものと逆であるので、説明の重複を避けるため、詳細な説明を省略する。
【００５１】
図７は、本発明の電力供給システムの制御時間を示す概略図である。図１〜図６を併せて参照すると、制御時間を示す概略図は、第１電流Ｉ１が大きくなってから小さくなる場合の制御時間の概略図である。家電製品３００によって引き抜かれた第１電流Ｉ１が大きくなる場合、制御ユニット８０によって第２電流Ｉ２を調整するために充電指令Ｃｉを充電ユニット６４に出力する。時間ｔ０〜ｔ１において、家電製品３００によって引き抜かれた第１電流Ｉ１が第１の固定値Ｐ１である。これにより、制御ユニット８０は、充電ユニット６４に充電指令Ｃｉを出力する必要なく、第２電流Ｉ２が第２の固定値Ｐ２である。主回路遮断ユニット２０が回路を遮断しない場合、家電製品３００および電動輸送機器４００に家庭の総電流Ｉｔ（第１電流Ｉ１と第２電流Ｉ２の和）を安定して供給することができる。このとき、家庭の総電流Ｉｔは第１レベルＬ１に維持される。第１レベルＬ１は、契約電力の電流上限Ｉｕである。時間ｔ１〜ｔ２において、家電製品３００によって引き抜かれた第１電流Ｉ１が大きくなる。このとき、制御ユニット８０は、電流測定ユニット８２の電流信号Ｓｉを受信することで第１電流Ｉ１が大きくなることを知得し、充電ユニット６４に充電指令Ｃｉを指令することにより、充電ユニット６４が電動輸送機器４００に出力する制御信号のデューティ比Ｄを下げる。しかし、電動輸送機器４００がこのデューティ比Ｄを認識して実際にバッテリへの充電電流を減少させるのに一定時間がかかるため第２電流Ｉ２はすぐには小さくならない。従って、第１電流Ｉ１が大きくなったことにより、家庭の総電流Ｉｔも大きくなって第２レベルＬ２になる。
【００５２】
時間ｔ２〜ｔ３において、電動輸送機器４００が実際の充電電流を減少させることにより第２電流Ｉ２は第４の固定値Ｐ４まで小さくなり、家庭の総電流Ｉｔは、第２電流Ｉ２が小さくなるのに伴って小さくなる。このとき、家電製品３００によって引き抜かれた第１電流Ｉ１が変動しないため、第１電流Ｉ１が依然として第３の固定値Ｐ３を維持する。時間ｔ４〜ｔ５において、第１電流Ｉ１が元の第１固定値Ｐ１に戻った場合、制御ユニット８０はこれを知得し、充電ユニット６４に充電指令Ｃｉを指令することにより、充電ユニット６４は電動輸送機器４００に出力する制御信号のデューティ比Ｄを上げる。電動輸送機器４００がこのデューティ比Ｄの増大を認識して実際にバッテリへの充電電流を増大させるのに一定時間がかかるため第２電流Ｉ２はすぐには大きくならない。従って、第１電流Ｉ１が小さくなったことにより、家庭の総電流Ｉｔも小さくなって第３レベルＬ３になる。一定時間経過後、電動輸送機器４００が実際の充電電流を増大させると第２電流Ｉ２は元の第２の固定値Ｐ２まで大きくなり家庭の総電流Ｉｔは元の第１のレベルＬ１に戻る。このようにして電力供給システム１００は、契約電力を超える時間を一定時間以内に抑え電力のオーバーロードを回避するとともに充電電流を契約電力ぎりぎりまで流すことができる。図７から分かるように、制御ユニット８０は、第１電流Ｉ１が大きくなる場合に第２電流Ｉ２を小さくするように調整する一方、第１電流Ｉ１が小さくなる場合に第２電流Ｉ２を大きくするように調整するようにしている。
【００５３】
図７を再び参照し、図１〜図６を併せて参照する。制御ユニット８０は、電流測定ユニット８２によって測定された配電分岐回路４０上における第１電流Ｉ１の電流信号Ｓｉを受信した後、上記式１によって第２電流Ｉ２および対応する充電指令Ｃｉを直接決定するとともに、充電ユニット６４に充電指令Ｃｉを直接指令する。これにより、制御ユニット８０は、充電ユニット６４と前回の充電指令を再度確認する必要はない。電力供給システム１００は、充電指令Ｃｉに対応する第２電流Ｉ２を総充電電流として電動輸送機器４００を充電する。これにより、第１電流Ｉ１の変動から、充電ユニット６４によって第２電流Ｉ２に対応して調整が完了する時間を短縮することができる。図７に示すように、家電製品３００によって引き抜かれた第１電流Ｉ１が大きくなる時（時間ｔ１）から、充電ユニット６４によって第２電流Ｉ２を十分に小さくするように調整する時間（時間ｔ３、即ち第２電流Ｉ２の調整が完了する時間）までの間に遅延時間Ｔを有し、遅延時間Ｔは１０秒以内である。制御ユニット８０は、充電ユニット６４と前回の充電指令を再度確認する必要がないため、充電ユニット６４は、第１電流Ｉ１が大きくなってから１０秒以内に第２電流Ｉ２を小さくするように調整することができる。その結果、電力供給システム１００の総電力需要は、契約電力の電流上限Ｉｕを超えることはない。
【００５４】
なお、本実施例において、遅延時間Ｔは１０秒以内であることが例示に限定されるが、これに限定されない。実際に、遅延秒数は、制御ユニット８０，電流測定ユニット８２，充電ユニット６４，電動輸送機器４００等の種類やスペックの影響で異なる。ただし、遅延時間Ｔが１０秒以内であることは、本実施例における好ましい遅延時間である。
【００５５】
図８は、本発明の電力供給システムの動作方法を示すフローチャートである。図１〜図７を併せて参照すると、電力供給システム１００は、外部配線２００の家庭の総電流Ｉｔを受けるとともに、家庭の総電流Ｉｔの第１電流Ｉ１を配電分岐回路における複数の家電製品３００に、および家庭の総電流Ｉｔの第２電流Ｉ２を充電分岐回路における電動輸送機器４００に供給する。配電分岐回路４０は、第１回路遮断ユニット４２と、複数の第３回路遮断ユニット４４とを含む。第３回路遮断ユニット４４は、複数の家電製品３００に接続される。家電製品３００は、配電分岐回路４０を介して第１電流Ｉ１を引抜く。充電分岐回路６０は、第２回路遮断ユニット６２と、充電ユニット６４とを含む。また、充電ユニット６４は、電動輸送機器４００に接続される。第２電流Ｉ２は、充電ユニット６４によって電動輸送機器４００に伝送されて電動輸送機器４００を充電するために用いられる。電力会社は、通常家庭用電力の消費した家庭の総電流Ｉｔが電力会社により設定された所定値を超えないように制限し、その所定値は家庭が電力会社と結んでいる契約電力の電流上限Ｉｕである。電力供給システムの動作方法は、制御ユニット８０により第１電流Ｉ１の電流信号を受信するステップ（Ｓ２００）と、制御ユニット８０は、電流測定ユニット８２によって配電分岐回路４０上の第１電流Ｉ１の電流信号Ｓｉを測定し、電流信号Ｓｉに基づいて第１電流Ｉ１の電流値を知得する。次に、上限から第１電流Ｉ１を差し引いたものを充電指令とする（Ｓ４００）と、制御ユニット８０は、契約電力の電流上限Ｉｕから第１電流Ｉ１を引いたものを第２電流Ｉ２とし、第２電流Ｉ２に対応する充電指令Ｃｉを生成するとともに、充電指令Ｃｉを充電ユニット６４に出力する。最後に、制御ユニット８０は、第１電流Ｉ１が変動した場合、第２電流Ｉ２を調整するように充電指令を指令するステップ（Ｓ６００）と、を含む。制御ユニット８０は、電流信号Ｓｉにより第１電流Ｉ１が変動したことが分かる場合、第１電流Ｉ１の変動値に基づいて第２電流Ｉ２の調整値を算出する。また、制御ユニット８０は、第２電流Ｉ２の調整値に基づいて充電指令Ｃｉを生成して、充電ユニット６４に充電指令Ｃｉを伝送する。充電ユニット６４は、充電指令Ｃｉに基づいて第２電流Ｉ２を調整する。ここで、充電指令Ｃｉは、制御ユニット８０から充電ユニット６４に出力される制御信号であり、充電ユニット６４は、制御ユニット８０から充電ユニット６４に出力される制御信号に基づいて第２電流Ｉ２を調整する。さらに、制御ユニット８０は、第１電流Ｉ１の変動に基づいて充電ユニット６４に充電指令Ｃｉを出力する。充電ユニット６４は、充電指令Ｃｉに基づいて、電力供給システム１００の総電力需要が契約電力の電流上限Ｉｕを超えないように、第２電流Ｉ２を調整する。制御ユニット８０は、第１電流Ｉ１が大きくなる場合、充電ユニット６４の制御信号に対応する充電指令Ｃｉを出力することにより、第２電流Ｉ２を小さく調整する一方、第１電流Ｉ１が小さくなる場合、充電ユニット６４の制御信号に対応する充電指令Ｃｉを出力することにより、第２電流Ｉ２を大きく調整する。制御ユニット８０は、充電ユニット６４と前回の充電指令を再度確認する必要がないので、充電ユニット６４は、第１電流Ｉ１が大きくなってから遅延時間Ｔ（図７参照）以内に第２電流Ｉ２を小さくするように調整することができる。その結果、電力供給システム１００の総電力需要は、契約電力の電流上限Ｉｕを超えることはない。なお、遅延時間Ｔは１０秒以内である。
【００５６】
以上により、本発明の利点は次の通りである。
【００５７】
（１）本発明の電力供給システムは、電動輸送機器の充電用分岐回路と家電製品に電力を供給するための分岐回路とを分けるため、家庭用電力が充電分岐回路の影響を受けて第１回路遮断ユニットにより回路を遮断することはなく、家庭の総電力消費量を制御することができる。
【００５８】
（２）本発明の電力供給システムは、家電製品に電力を供給するための分岐回路において電動輸送機器の充電の電流が含まれていないため、家庭の総電力消費量を効果的に制御することができる。
【００５９】
（３）本発明の電力供給システムは、単一の電流測定ユニットのみで配電分岐回路の第１電流の電流信号を測定することにより、電力供給システムの充電分岐回路および配電分岐回路を効果的に制御することができる。その結果、電力供給システムのコストを節約することができる。
【００６０】
ただし、上記は、本発明の好ましい実施例の詳細な説明および図面に過ぎず、本発明の特徴はこれに限定されるものではないため、本発明を限定するために用いられるものではなく、本発明の全ての範囲は別紙の特許請求の範囲を基準とすべきである。およそ本発明の特許請求の範囲における技術的思想およびその類似の変化の実施例に合うものは、いずれも本発明の範疇に含まれるものであって、当業者が本発明の範囲内で容易に想到し得る変化または付加はいずれも本願の特許請求の範囲に含まれるものである。
【符号の説明】
【００６１】
＜先行技術＞
１００Ａ…電力供給システム
４２Ａ…回路遮断ユニット
６４Ａ…充電ユニット
８０Ａ…制御ユニット
８２Ａ、８２Ｂ…電流測定ユニット
４００Ａ…電動輸送機器
＜本発明＞
１００…電力供給システム
２０…主回路遮断ユニット
４０…配電分岐回路
４２…第１回路遮断ユニット
４４…第３回路遮断ユニット
５０…再生可能エネルギーユニット
６０…充電分岐回路
６２…第２回路遮断ユニット
６４…充電ユニット
８０…制御ユニット
８２、８２Ａ、８２Ｂ…電流測定ユニット
８４…伝送ユニット
２００…外部配線
３００…家電製品
４００…電動輸送機器
ＤＢ１…第１分電盤
ＤＢ２…第２分電盤
Ｉｔ…家庭の総電流
Ｉｕ…電流の上限
Ｉ１…第１電流
Ｉ２…第２電流
Ｉａ、Ｉｂ、Ｉｃ…電流
Ｓｉ、Ｓｉ１、Ｓｉ２…電流信号
Ｃｉ…充電指令
Ｐ１…第１の固定値
Ｐ２…第２の固定値
Ｐ３…第３の固定値
Ｐ４…第４の固定値
Ｌ１…第１レベル
Ｌ２…第２レベル
Ｌ３…第３レベル
Ｔ…遅延時間
ｔ０〜ｔ７…時間
Ｄ…（制御信号の）デューティ比
【図１】
2018157740.tif 000004
【図２Ａ】
2018157740.tif 000005
【図２Ｂ】
2018157740.tif 000006
【図３】
2018157740.tif 000007
【図４】
2018157740.tif 000008
【図５Ａ】
2018157740.tif 000009
【図５Ｂ】
2018157740.tif 000010
【図５Ｃ】
2018157740.tif 000011
【図５Ｄ】
2018157740.tif 000012
【図６】
2018157740.tif 000013
【図７】
2018157740.tif 000014
【図８】
2018157740.tif 000015